(57)【要約】【課題】Ｗｅｂの利用を促進するＷｅｂ利用料金通知システムを提供すること。【解決手段】本発明のＷｅｂ利用料金通知システムでは、携帯端末は表示部を備え、サーバは、複数の携帯端末をそれぞれ識別する複数の識別子とパケット料金が有料である有料Ｗｅｂページが複数の携帯端末に利用されたときの利用料金とが格納されたデータベースを備えている。携帯端末は、利用者がＷｅｂページを利用するときに、携帯端末の識別子を含むアクセス要求をサーバに送信する。サーバは、データベースに格納された利用料金の中から、アクセス要求の識別子に対応する利用料金を選択利用料金として選択し、無料Ｗｅｂページを携帯端末の表示部に表示する。無料Ｗｅｂページは、選択利用料金を通知するための通知欄と、利用者により有料Ｗｅｂページを選択可能であり、且つ、有料Ｗｅｂページのパケット料金が有料であることを表す選択欄とを含んでいる。【選択図】図６
2011180657.tif 000002
【特許請求の範囲】
【請求項１】
利用者により利用される携帯端末と、
ネットワークを介して前記携帯端末に接続されたサーバと
を具備し、
前記携帯端末は、
表示部と、
前記利用者がＷｅｂページを利用するときに、前記携帯端末を識別する識別子を含むアクセス要求を前記サーバに送信する制御部と
を具備し、
前記サーバは、
複数の携帯端末をそれぞれ識別する複数の識別子とパケット料金が有料である有料Ｗｅｂページが前記複数の携帯端末に利用されたときの利用料金とが格納されたデータベースと、
前記携帯端末の制御部に対してパケット通信を行う制御部と
を具備し、
前記サーバの制御部は、
前記データベースに格納された前記利用料金の中から、前記アクセス要求に含まれる前記識別子に対応する利用料金を選択利用料金として選択し、
パケット料金が無料であることを表す無料Ｗｅｂページを前記携帯端末の前記表示部に表示し、
前記無料Ｗｅｂページは、
前記選択利用料金を通知するための通知欄と、
前記利用者により前記有料Ｗｅｂページを選択可能であり、且つ、前記有料Ｗｅｂページのパケット料金が有料であることを表す選択欄と
を含むＷｅｂ利用料金通知システム。
【請求項２】
前記携帯端末の制御部は、前記表示部に前記無料Ｗｅｂページが表示されているときに、前記利用者により前記選択欄から前記有料Ｗｅｂページが選択された場合、前記識別子を含み、且つ、前記有料Ｗｅｂページが選択されたことを表す利用要求を前記サーバに送信し、
前記サーバの制御部は、
前記利用要求に応じて、前記有料Ｗｅｂページを前記携帯端末の前記表示部に表示し、
前記データベースに格納された前記利用料金の中から、前記利用要求に含まれる前記識別子に対応する前記選択利用料金を選択し、
前記有料Ｗｅｂページが前記携帯端末に利用されたときの利用料金を前記選択利用料金に加算して、前記データベースに格納された利用料金を更新する
請求項１に記載のＷｅｂ利用料金通知システム。
【請求項３】
前記利用者が前記選択欄から前記有料Ｗｅｂページを選択しないで、前記無料Ｗｅｂページの表示を終了する指示を行った場合、
前記携帯端末の制御部は、
前記無料Ｗｅｂページの表示を終了し、その旨を表す表示終了通知を前記サーバに送信し、
前記サーバの制御部は、前記表示終了通知に応じて、前記データベースに格納された利用料金を更新しない
請求項２に記載のＷｅｂ利用料金通知システム。
【請求項４】
請求項１〜３のいずれかに記載のＷｅｂ利用料金通知システムに使用されるサーバ。
【請求項５】
請求項１〜３のいずれかに記載のＷｅｂ利用料金通知システムに使用される携帯端末。
【請求項６】
利用者により利用され、表示部を備えた携帯端末と、ネットワークを介して前記携帯端末に接続されたサーバと、複数の携帯端末をそれぞれ識別する複数の識別子とパケット料金が有料である有料Ｗｅｂページが前記複数の携帯端末に利用されたときの利用料金とが格納されたデータベースとを具備するシステムに
前記利用者がＷｅｂページを利用するときに、前記携帯端末が、前記携帯端末を識別する識別子を含むアクセス要求を前記サーバに送信するステップと、
前記サーバが、前記データベースに格納された前記利用料金の中から、前記アクセス要求に含まれる前記識別子に対応する利用料金を選択利用料金として選択するステップと、
前記サーバが、パケット料金が無料であることを表す無料Ｗｅｂページを前記携帯端末の前記表示部に表示するステップと
を具備し、
前記無料Ｗｅｂページは、
前記選択利用料金を通知するための通知欄と、
前記利用者により前記有料Ｗｅｂページを選択可能であり、且つ、前記有料Ｗｅｂページのパケット料金が有料であることを表す選択欄と
を含むＷｅｂ利用料金通知方法。
【請求項７】
前記表示部に前記無料Ｗｅｂページが表示されているときに、前記利用者により前記選択欄から前記有料Ｗｅｂページが選択された場合、前記携帯端末が、前記識別子を含み、且つ、前記有料Ｗｅｂページが選択されたことを表す利用要求を前記サーバに送信するステップと、
前記サーバが、前記利用要求に応じて、前記有料Ｗｅｂページを前記携帯端末の前記表示部に表示するステップと、
前記サーバが、前記データベースに格納された前記利用料金の中から、前記利用要求に含まれる前記識別子に対応する前記選択利用料金を選択するステップと、
前記サーバが、前記有料Ｗｅｂページが前記携帯端末に利用されたときの利用料金を前記選択利用料金に加算して、前記データベースに格納された利用料金を更新するステップと
を更に具備する請求項６に記載のＷｅｂ利用料金通知方法。
【請求項８】
前記利用者が前記選択欄から前記有料Ｗｅｂページを選択しないで、前記無料Ｗｅｂページの表示を終了する指示を行った場合、
前記携帯端末が、前記無料Ｗｅｂページの表示を終了し、その旨を表す表示終了通知を前記サーバに送信するステップと、
前記サーバが、前記表示終了通知に応じて、前記データベースに格納された利用料金を更新しないステップと
を更に具備する請求項７に記載のＷｅｂ利用料金通知方法。
【請求項９】
請求項６〜８のいずれかに記載のＷｅｂ利用料金通知方法のサーバが実行する各ステップをコンピュータに実行させるコンピュータプログラム。
【請求項１０】
請求項６〜８のいずれかに記載のＷｅｂ利用料金通知方法の携帯端末が実行する各ステップをコンピュータに実行させるコンピュータプログラム。
【発明の詳細な説明】
【技術分野】
【０００１】
本発明は、携帯端末に対してパケット通信を行うＷｅｂ利用料金通知システムに関する。
【背景技術】
【０００２】
Ｗｅｂページは、パケット料金が有料である有料Ｗｅｂページ、又は、パケット料金が無料である無料Ｗｅｂページに分けられる。有料Ｗｅｂページが利用される場合、利用料金が発生する。例えば、携帯電話機のようにパケット通信を行う携帯端末により、利用者がＷｅｂページを利用した場合、携帯端末の表示部に最初に表示されるＷｅｂページ（初期画面）は、無料Ｗｅｂページである。しかし、パケット通信に詳しくない利用者にとっては、初期画面が無料Ｗｅｂページであることを把握していない。この場合、Ｗｅｂページを利用する度に利用料金がいくらになっているのか不安になるため、Ｗｅｂの利用が促進されない。
【０００３】
また、携帯端末では、利用者がＷｅｂページを利用したときの利用料金を確認したい場合、電話によりサービス会社に確認したり、パケット通信によりパケット料金を提示する有料Ｗｅｂページを要求して確認したりしなければならない。この場合、パケット通信に詳しくない利用者にとって、電話による通話料金や、パケット料金を提示する有料Ｗｅｂページを利用したときの利用料金がかかってしまうため、更に、Ｗｅｂの利用が促進されない。
【０００４】
利用料金に関する技術を紹介する。
【０００５】
特開２００２−２５１４８０号公報には、利用者が通信端末により利用したサービスの利用料金を何処でも確認するシステムが記載されている。しかし、このシステムは、パケット料金を提示する有料Ｗｅｂページを利用したときに利用料金がかかってしまうため、Ｗｅｂの利用が促進されない。
【先行技術文献】
【特許文献】
【０００６】
【特許文献１】特開２００２−２５１４８０号公報
【発明の概要】
【発明が解決しようとする課題】
【０００７】
本発明の課題は、Ｗｅｂの利用を促進するＷｅｂ利用料金通知システムを提供することにある。
【課題を解決するための手段】
【０００８】
本発明のＷｅｂ利用料金通知システムは、利用者により利用される携帯端末と、ネットワークを介して携帯端末に接続されたサーバとを具備している。携帯端末は、表示部と、制御部とを具備している。サーバは、データベースと、携帯端末の制御部に対してパケット通信を行う制御部とを具備している。データベースには、複数の携帯端末をそれぞれ識別する複数の識別子とパケット料金が有料である有料Ｗｅｂページが複数の携帯端末に利用されたときの利用料金とが格納されている。携帯端末の制御部は、利用者がＷｅｂページを利用するときに、携帯端末を識別する識別子を含むアクセス要求をサーバに送信する。サーバの制御部は、データベースに格納された利用料金の中から、アクセス要求に含まれる識別子に対応する利用料金を選択利用料金として選択し、パケット料金が無料である無料Ｗｅｂページを携帯端末の表示部に表示する。無料Ｗｅｂページは、選択利用料金を通知するための通知欄と、利用者により有料Ｗｅｂページを選択可能であり、且つ、有料Ｗｅｂページのパケット料金が有料であることを表す選択欄とを含んでいる。
【発明の効果】
【０００９】
以上により、本発明のＷｅｂ利用料金通知システムでは、サーバが上述の無料Ｗｅｂページを携帯端末の表示部に表示する。このため、パケット通信に詳しくない利用者にとっては、携帯端末の表示部に最初に表示されるＷｅｂページ（初期画面）が無料Ｗｅｂページであることを把握することができる。また、無料Ｗｅｂページの通知欄に選択利用料金が表示されるため、パケット通信に詳しくない利用者は、利用料金がいくらになっているのか不安にならなくなる。このように、本発明のＷｅｂ利用料金通知システムによれば、パケット通信に詳しくない利用者にとって利用料金の不安がなくなるため、Ｗｅｂの利用が促進される。
【００１０】
また、本発明のＷｅｂ利用料金通知システムでは、無料Ｗｅｂページの通知欄に選択利用料金が表示されるため、パケット通信に詳しくない利用者は、電話によりサービス会社に確認したり、パケット通信によりパケット料金を提示する有料Ｗｅｂページを要求して確認したりする必要はない。このように、本発明のＷｅｂ利用料金通知システムによれば、パケット通信に詳しくない利用者にとって、電話による通話料金の負担や、パケット料金を提示する有料Ｗｅｂページを利用したときの利用料金の負担がなくなるため、Ｗｅｂの利用が促進される。
【図面の簡単な説明】
【００１１】
【図１】図１は、本発明の実施形態によるＷｅｂ利用料金通知システムの構成を示している。
【図２】図２は、複数の携帯端末１−１〜１−Ｎの構成を示している。
【図３】図３は、サーバ３の構成を示している。
【図４】図４は、データベース４０を示している。
【図５】図５は、本発明の実施形態によるＷｅｂ利用料金通知システムの動作を示すフローチャートである。
【図６】図６は、無料Ｗｅｂページ５０を示している。
【発明を実施するための形態】
【００１２】
以下に添付図面を参照して、本発明の実施形態によるＷｅｂ利用料金通知システムについて詳細に説明する。
【００１３】
［構成］
図１は、本発明の実施形態によるＷｅｂ利用料金通知システムの構成を示している。
【００１４】
本発明の実施形態によるＷｅｂ利用料金通知システムは、複数の携帯端末１−１〜１−Ｎ（Ｎは２以上の整数）と、ネットワーク２を介して複数の携帯端末１−１〜１−Ｎに接続されたサーバ３とを具備している。
【００１５】
複数の携帯端末１−１〜１−Ｎはそれぞれ複数の利用者に利用される。ここで、複数の携帯端末１−１〜１−Ｎのうちの、利用者Ａに利用される携帯端末を携帯端末１−Ｊ（Ｊは１≦Ｊ≦Ｎを満たす整数）と称する。
【００１６】
図２は、複数の携帯端末１−１〜１−Ｎの構成を示している。
【００１７】
複数の携帯端末１−１〜１−Ｎは、携帯型のコンピュータであり、制御部１１、記憶部１２を具備している。制御部１１としては、ＣＰＵ（Ｃｅｎｔｒａｌ  Ｐｒｏｃｅｓｓｉｎｇ  Ｕｎｉｔ）が例示され、記憶部１２としては、記録媒体であるメモリが例示される。記憶部１２には、コンピュータに実行させるためのコンピュータプログラム１３が記憶されている。制御部１１は、起動時などに記憶部１２からコンピュータプログラム１３を読み取って実行する。
【００１８】
複数の携帯端末１−１〜１−Ｎは、更に、サーバ３からのＷｅｂページ４を表示するための表示部１４を具備している。携帯端末１−Ｊは、更に、利用者Ａにより操作される入力部（図示しない）を具備している。表示部１４がタッチパネルである場合、入力部は表示部１４に含まれる。
【００１９】
図３は、サーバ３の構成を示している。
【００２０】
サーバ３は、コンピュータであり、制御部３１、記憶部３２を具備している。制御部３１としては、ＣＰＵが例示され、記憶部３２としては、記録媒体であるメモリが例示される。記憶部３２には、コンピュータに実行させるためのコンピュータプログラム３３が記憶されている。記憶部３２は、データベース４０を備えている。制御部３１は、複数の携帯端末１−１〜１−Ｎの各々の制御部１１に対してパケット通信を行う。
【００２１】
図４は、データベース４０を示している。
【００２２】
データベース４０には、複数の携帯端末１−１〜１−Ｎをそれぞれ識別する複数の識別子４１−１〜４１−Ｎと、有料Ｗｅｂページ７がＷｅｂページ４として複数の携帯端末１−１〜１−Ｎに利用されたときの利用料金４２−１〜４２−Ｎとが対応付けられて格納されている。有料Ｗｅｂページ７は、パケット料金が有料であるＷｅｂページであり、音楽や動画などのコンテンツを含んでいる。利用料金４２−１〜４２−Ｎは、月毎でもよいし、累積でもよいし、その両方でもよい。
【００２３】
［動作］
図５は、本発明の実施形態によるＷｅｂ利用料金通知システムの動作を示すフローチャートである。
【００２４】
携帯端末１−Ｊの制御部１１は、利用者ＡがＷｅｂページ４を利用するときに、アクセス要求５をサーバ３に送信する。アクセス要求５は、携帯端末１−Ｊを識別する識別子６を含んでいる（ステップＳ１）。
【００２５】
サーバ３の制御部３１は、携帯端末１−Ｊからアクセス要求５を受け取る。このとき、制御部３１は、データベース４０に格納された複数の識別子４１−１〜４１−Ｎの中から、アクセス要求５に含まれる識別子６に一致する識別子を選択識別子４１−Ｊとして選択する。制御部３１は、データベース４０に格納された利用料金４２−１〜４２−Ｎの中から、選択識別子４１−Ｊに対応する利用料金４２−Ｊを選択利用料金として選択する（ステップＳ２）。
【００２６】
このとき、サーバ３の制御部３１は、図６に示されるような無料Ｗｅｂページ５０をＷｅｂページ４として携帯端末１−Ｊの表示部１４に表示する。無料Ｗｅｂページ５０は、パケット料金が無料である。この無料Ｗｅｂページ５０は、パケット料金が無料であることを表す無料表示欄（図示しない）と、選択利用料金４２−Ｊを通知するための通知欄５１と、利用者Ａにより有料Ｗｅｂページ７を選択可能であり、且つ、有料Ｗｅｂページ７のパケット料金が有料であることを表す選択欄５２とを含んでいる（ステップＳ３）。
【００２７】
表示部１４に無料Ｗｅｂページ５０が表示されているときに、利用者Ａにより選択欄５１から有料Ｗｅｂページ７が選択されたものとする（ステップＳ４−ＹＥＳ）。この場合、携帯端末１−Ｊの制御部１１は、有料Ｗｅｂページ７が選択されたことを表す利用要求８をサーバ３に送信する。利用要求８は、携帯端末１−Ｊを識別する識別子６を含んでいる（ステップＳ５）。
【００２８】
サーバ３の制御部３１は、携帯端末１−Ｊから利用要求８を受け取る。このとき、制御部３１は、利用要求８に応じて、有料Ｗｅｂページ７をＷｅｂページ４として携帯端末１−Ｊの表示部１４に表示する（ステップＳ６）。
【００２９】
このとき、サーバ３の制御部３１は、データベース４０に格納された複数の識別子４１−１〜４１−Ｎの中から、アクセス要求５に含まれる識別子６に一致する識別子を選択識別子４１−Ｊとして選択する。制御部３１は、データベース４０に格納された利用料金４２−１〜４２−Ｎの中から、選択識別子４１−Ｊに対応する利用料金４２−Ｊを選択利用料金として選択する（ステップＳ７）。
【００３０】
サーバ３の制御部３１は、有料Ｗｅｂページ７が携帯端末１−Ｊに利用されたときの利用料金を選択利用料金４２−Ｊに加算し、その料金を利用料金４２−Ｊとしてデータベース４０に格納する。即ち、データベース４０に格納された利用料金４２−Ｊを更新する（ステップＳ８）。
【００３１】
利用料金４２−Ｊが更新されたとき、利用料金４２−Ｊは、次回に有料Ｗｅｂページ７が携帯端末１−Ｊに利用されたときに、無料Ｗｅｂページ５０に反映される。
【００３２】
一方、利用者Ａが選択欄５１から有料Ｗｅｂページ７を選択しないで、無料Ｗｅｂページ５０の表示を終了する指示を入力部により行った場合、携帯端末１−Ｊの制御部１１は、無料Ｗｅｂページ５０の表示を終了する（ステップＳ４−ＮＯ）。この場合、制御部１１は、無料Ｗｅｂページ５０の表示を終了した旨を表す表示終了通知（図示しない）をサーバ３に送信する。サーバ３の制御部３１は、携帯端末１−Ｊから表示終了通知を受け取る。このとき、制御部３１は、表示終了通知に応じて、データベース４０に格納された利用料金４２−Ｊを更新しない。
【００３３】
［効果］
以上の説明により、本発明の実施形態によるＷｅｂ利用料金通知システムでは、サーバ３が上述の無料Ｗｅｂページ５０を携帯端末１−Ｊの表示部１４に表示する。このため、パケット通信に詳しくない利用者にとっては、携帯端末１−Ｊの表示部１４に最初に表示されるＷｅｂページ（初期画面）が無料Ｗｅｂページであることを把握することができる。また、無料Ｗｅｂページ５０の通知欄５１に選択利用料金４２−Ｊが表示されるため、パケット通信に詳しくない利用者は、利用料金がいくらになっているのか不安にならなくなる。このように、本発明の実施形態によるＷｅｂ利用料金通知システムによれば、パケット通信に詳しくない利用者にとって利用料金の不安がなくなるため、Ｗｅｂの利用が促進される。
【００３４】
また、本発明の実施形態によるＷｅｂ利用料金通知システムでは、無料Ｗｅｂページ５０の通知欄５１に選択利用料金４２−Ｊが表示されるため、パケット通信に詳しくない利用者は、電話によりサービス会社に確認したり、パケット通信によりパケット料金を提示する有料Ｗｅｂページを要求して確認したりする必要はない。このように、本発明の実施形態によるＷｅｂ利用料金通知システムによれば、パケット通信に詳しくない利用者にとって、電話による通話料金の負担や、パケット料金を提示する有料Ｗｅｂページを利用したときの利用料金の負担がなくなるため、Ｗｅｂの利用が促進される。
【符号の説明】
【００３５】
１−１〜１−Ｎ（Ｎは２以上の整数）    携帯端末、
１−Ｊ（Ｊは１≦Ｊ≦Ｎを満たす整数）    携帯端末、
２    ネットワーク、
３    サーバ、
４    Ｗｅｂページ、
５    アクセス要求、
６    識別子、
７    有料Ｗｅｂページ、
８    利用要求、
１１    制御部、
１２    記憶部、
１３    コンピュータプログラム、
１４    表示部、
３１    制御部、
３２    記憶部、
３３    コンピュータプログラム、
４０    データベース、
４１−１〜４１−Ｎ    識別子、
４１−Ｊ    選択識別子、
４２−１〜４２−Ｎ    利用料金、
４２−Ｊ    選択利用料金、
５０    無料Ｗｅｂページ、
５１    通知欄、
５２    選択欄
【図１】
2011180657.tif 000003
【図２】
2011180657.tif 000004
【図３】
2011180657.tif 000005
【図４】
2011180657.tif 000006
【図５】
2011180657.tif 000007
【図６】
2011180657.tif 000008